(57)【要約】【課題】広告を見る者に強いインパクトを与えることができ、周辺環境の中で目立つ広告表示装置を提供すること。【解決手段】フルカラーの写真画像ＳＧに基づいて広告のための表示を行う広告表示装置１であって、写真画像ＳＧに含まれる複数の部分画像ＢＧについて、それぞれの部分画像の占める領域において個別に発光可能なように設けられた複数の部分画像発光部ＧＡ〜ＧＥと、写真画像に基づいて作成されたグレースケールによる濃淡画像データＮＤを用い、複数の部分画像発光部ＧＡ〜ＧＥをそれぞれの部分画像発光部ごとに個別に発光させるように制御可能な発光制御部１１と、を有する。【選択図】      図１
2015094850.tif 000002
【特許請求の範囲】
【請求項１】
フルカラーの写真画像に基づいて広告のための表示を行う広告表示装置であって、
前記写真画像に含まれる複数の部分画像について、それぞれの前記部分画像の占める領域において個別に発光可能なように設けられた複数の部分画像発光部と、
前記写真画像に基づいて作成されたグレースケールによる濃淡画像データを用い、複数の前記部分画像発光部をそれぞれの前記部分画像発光部ごとに個別に発光させるように制御可能な発光制御部と、
を有することを特徴とする広告表示装置。
【請求項２】
前記部分画像発光部とは別に、広告文字の占める領域において発光可能な文字発光部が設けられてなる、
請求項１記載の広告表示装置。
【請求項３】
それぞれの前記部分画像発光部は、それぞれの前記部分画像の占める領域に配置された複数の発光ダイオードからなる発光ダイオード群を含む、
請求項１または２記載の広告表示装置。
【請求項４】
それぞれの前記部分画像発光部は、それぞれの前記部分画像の占める領域において発光可能なようにマトリックス状に配置された複数の発光画素を含む発光表示パネルである、
請求項１または２記載の広告表示装置。
【請求項５】
前記写真画像が表示された透過光用の画像シートが、複数の前記部分画像発光部の前面に、当該写真画像の複数の前記部分画像と複数の前記部分画像発光部とが一致するように配置され、
前記画像シートに表示された写真画像が複数の前記部分画像発光部によって背面から照明されるように構成される、
請求項１ないし４のいずれかに記載の広告表示装置。
【請求項６】
前記発光制御部は、複数の前記部分画像発光部を、部分画像発光部ごとに切り替えて点灯させるように制御する。
請求項１ないし５のいずれかに記載の広告表示装置。
【発明の詳細な説明】
【技術分野】
【０００１】
本発明は、フルカラーの写真画像に基づいて広告のための表示を行う広告表示装置に関する。
【背景技術】
【０００２】
従来より、駅や空港の構内、地下街、ショッピングセンター、ホテルのロビー、その他の種々の空間において、広告、宣伝、または展示などを目的とした広告表示装置が設置されている。
【０００３】
従来において、広告表示装置として、写真画像が表示された透過光用の画像シートに背面照明のためのバックライト装置を設けたものがしばしば用いられている（特許文献１）。
【０００４】
また、ローラに巻き付けた画像シートを他のローラにより巻き取るようにし、写真画像などをスクロール可能とした広告表示装置も用いられている（特許文献２）。
【０００５】
また、液晶ディスプレイやプラズマディスプレイなどの画像表示装置を用い、その表示面に写真画像や広告文を表示した広告表示装置も用いられている。
【先行技術文献】
【特許文献】
【０００６】
【特許文献１】特開２００５−０３１３７６号公報
【特許文献２】特開２００２−３７２９３０号公報
【発明の概要】
【発明が解決しようとする課題】
【０００７】
しかし、従来の広告表示装置では、写真画像などがそれなりに鮮明に表示され見やすいのであるが、広告を見る者に与えるインパクトという点では不十分な点があった。つまり、広告表示装置が設置された周辺環境の中で、当該広告表示装置が特に目立って注目されるという点で不十分であった。
【０００８】
本発明は、上述の問題に鑑みてなされたもので、広告を見る者に強いインパクトを与えることができ、周辺環境の中で目立つ広告表示装置を提供することを目的とする。
【０００９】
本発明の一実施形態に係る広告表示装置は、フルカラーの写真画像に基づいて広告のための表示を行う広告表示装置であって、前記写真画像に含まれる複数の部分画像について、それぞれの前記部分画像の占める領域において個別に発光可能なように設けられた複数の部分画像発光部と、前記写真画像に基づいて作成されたグレースケールによる濃淡画像データを用い、複数の前記部分画像発光部をそれぞれの前記部分画像発光部ごとに個別に発光させるように制御可能な発光制御部と、を有する。
【００１０】
好ましくは、前記部分画像発光部とは別に、広告文字の占める領域において発光可能な文字発光部が設けられてなる。
【００１１】
また好ましくは、それぞれの前記部分画像発光部は、それぞれの前記部分画像の占める領域に配置された複数の発光ダイオードからなる発光ダイオード群を含む。
【００１２】
また好ましくは、それぞれの前記部分画像発光部は、それぞれの前記部分画像の占める領域において発光可能なようにマトリックス状に配置された複数の発光画素を含む発光表示パネルである。
【００１３】
また好ましくは、前記写真画像が表示された透過光用の画像シートが、複数の前記部分画像発光部の前面に、当該写真画像の複数の前記部分画像と複数の前記部分画像発光部とが一致するように配置され、前記画像シートに表示された写真画像が複数の前記部分画像発光部によって背面から照明されるように構成される。
【００１４】
また好ましくは、前記発光制御部は、複数の前記部分画像発光部を、部分画像発光部ごとに切り替えて点灯させるように制御する。
【発明の効果】
【００１５】
本発明によると、広告を見る者に強いインパクトを与えることができ、周辺環境の中で目立つ広告表示装置を提供することができる。
【図面の簡単な説明】
【００１６】
【図１】本発明の一実施形態に係る広告表示装置の構成の例を示す図である。
【図２】写真画像の例を示す図である。
【図３】表示パネルの例を示す図である。
【図４】部分画像における発光ダイオードの配置の例を示す図である。
【図５】表示パネルにおいて部分画像発光部を発光させた例を示す図である。
【図６】表示パネルにおいて他の部分画像発光部を発光させた例を示す図である。
【図７】表示パネルにおいて他の部分画像発光部を発光させた例を示す図である。
【図８】他の例の表示パネルによって表示される表示画像の例を示す図である。
【図９】画像シートを設けた表示パネルの例を示す側面図である。
【発明を実施するための形態】
【００１７】
図１において、広告表示装置１は、フルカラーの写真画像ＳＧに基づいて広告のための表示を行うものである。
【００１８】
広告表示装置１は、表示パネルＫＴおよび発光制御部１１を備える。
【００１９】
表示パネルＫＴは、画像の表示内容が写真画像ＳＧに基づいて作成されたものである。表示パネルＫＴは、写真画像ＳＧに含まれる複数の部分画像ＢＧについて、それぞれの部分画像ＢＧの占める領域において個別に発光可能なように設けられた複数の部分画像発光部ＧＡ〜ＧＥを有する。
【００２０】
また、部分画像発光部ＧＡ〜ＧＥとは別に、広告文字ＭＪの占める領域において発光可能な文字発光部ＭＡが設けられている。
【００２１】
なお、この例では５つの部分画像発光部ＧＡ〜ＧＥが設けられた例が示されているが、写真画像ＳＧの内容に応じて、４つ以下または６つ以上の部分画像発光部を有することでもよい。また、１つの文字発光部ＭＡが設けられているが、２つ以上の文字発光部を有設けてもよい。なお、後で述べるように、文字発光部ＭＡを別途設けることなく、写真画像ＳＧの内容に含めた部分画像発光部として実現することも可能である。
【００２２】
それぞれの部分画像発光部ＧＡ〜ＧＥは、それぞれの部分画像ＢＧの占める領域に配置された複数の発光ダイオードからなる発光ダイオード群ＨＤＡ〜ＨＤＥを有する。また、文字発光部ＭＡは、その占める領域に配置された複数の発光ダイオードからなる発光ダイオード群ＨＤＭを有する。
【００２３】
それぞれの発光ダイオード群ＨＤＡ〜ＨＤＥおよび発光ダイオード群ＨＤＭは、多数の発光ダイオードが密集して配置されたものであり、各発光ダイオードに流す電流を制御することによって、それぞれの発光強度およびカラー（色）を可変制御することができる。したがって、それぞれの発光ダイオード群ＨＤＡ〜ＨＤＥ、ＨＤＭにおいて、そこに含まれる発光ダイオードを制御することにより、必要な画像および文字を高輝度で表示することができる。
【００２４】
発光制御部１１は、写真画像ＳＧに基づいて作成されたグレースケールによる濃淡画像データＮＤ、写真画像ＳＧに基づく写真画像データＳＤ、および文字データＭＤを用い、複数の部分画像発光部ＧＡ〜ＧＥおよび文字発光部ＭＡを個別に発光させるように制御可能である。
【００２５】
すなわち、発光制御部１１には、各部分画像発光部ＧＡ〜ＧＥの発光を制御するための、ＧＡ発光制御部１１Ａ、ＧＢ発光制御部１１Ｂ、ＧＣ発光制御部１１Ｃ、ＧＤ発光制御部１１Ｄ、およびＧＥ発光制御部１１Ｅ、並びに、文字発光部ＭＡの発光を制御するための文字発光制御部１１Ｍが設けられている。
【００２６】
各発光制御部１１Ａ〜１１Ｅは、それぞれに対応する発光ダイオード群ＨＤＡ〜ＨＤＥに対して、濃淡画像データＮＤおよび写真画像データＳＤに基づいて、それぞれの発光ダイオードを制御して発光させる。
【００２７】
なお、濃淡画像データＮＤは、写真画像ＳＧを基にして、各画素の濃淡の度合いをグレースケールを用いて示したものである。つまり、写真画像ＳＧから濃度データのみを抽出し、これをグレースケールに応じた階調のデータとする。グレースケールは、階調が濃度に直線的に比例するようなスケール、濃度に対して種々の曲線を描いて対応するスケールなど、種々のスケールを用いることができる。詳しくは、例えば特開２００７−３３１２５７号公報を参照することができる。
【００２８】
文字発光部ＭＡは、発光ダイオード群ＨＤＭに対して、文字データＭＤに基づいて、それぞれの発光ダイオードを制御して発光させる。
【００２９】
また、各発光制御部１１Ａ〜１１Ｅ、１１Ｍは、ユーザの操作によって入力されまたは予め設定された設定データＴＤに基づいて、それぞれに対応する発光ダイオード群ＨＤＡ〜ＨＤＥ、ＨＤＭに含まれる発光ダイオードを制御して発光させることが可能である。その場合に、設定データＴＤのみによることなく、濃淡画像データＮＤ、写真画像データＳＤ、および文字データＭＤをも参照して、それらが演算された内容で、またはそれらの内容を切り替えて、発光ダイオードを制御することが可能である。
【００３０】
なお、これら濃淡画像データＮＤ、写真画像データＳＤ、文字データＭＤ、および設定データＴＤは、適当なメモリに格納されている。
【００３１】
なお、この例では５つの発光ダイオード群ＨＤＡ〜ＨＤＥに対応して５つの発光制御部１１Ａ〜１１Ｅが設けられた例が示されているが、写真画像ＳＧの内容または発光ダイオード群ＨＤＡ〜ＨＤＥの個数に応じて、４つ以下または６つ以上の発光制御部１１Ａ〜１１Ｅを設けてもよい。
【００３２】
図２には、写真画像ＳＧ１の例が示されている。写真画像ＳＧ１には、部分画像ＢＧの候補として、赤、黄、青とカラーの異なる３つのバラの花の画像と緑の葉の画像とが示されている。したがって、例えば、これら赤色、黄色、青色の各バラの花の画像、および緑色の葉の画像を、部分画像ＢＧ１〜４とすることができる。
【００３３】
図３には、写真画像ＳＧ１に含まれる部分画像ＢＧ１〜４に対応した部分画像発光部ＧＨ１〜４が設けられた表示パネルＫＴ１が示されている。
【００３４】
表示パネルＫＴ１には、部分画像ＢＧ１〜４に対応した部分画像発光部ＧＨ１〜４が設けられており、それぞれの部分画像発光部ＧＨ１〜４には、多数の発光ダイオードＤＥからなる発光ダイオード群ＨＤ１〜４が設けられている。
【００３５】
各発光ダイオード群ＨＤ１〜４は、多数の発光ダイオードＤＥによって、できるだけ精細な画素が構成されるように配置される。発光ダイオードＤＥは、例えば、部分画像ＢＧの占める領域の輪郭線に沿ってその内部に配置され、かつ領域の全体を占めるように配置される。
【００３６】
また、図４（Ａ）に示すように、各部分画像ＢＧの占める領域の内部において、それぞれの領域の内部全体を占めるように、発光ダイオードＤＥをマトリックス状に配置することでもよい。この場合には、例えば、表示パネルＫＴ１の全域に対してマトリックス状に配置された発光ダイオードＤＥのうち、各部分画像ＢＧの占める領域に含まれる発光ダイオードＤＥのみを残してこれらを発光ダイオード群ＨＤとし、領域に含まれない発光ダイオードを取り除いたものということになる。
【００３７】
また、図４（Ｂ）に示すように、各部分画像ＢＧの占める領域の輪郭線に沿って、発光ダイオードＤＥを配置してこれらを発光ダイオード群ＨＤとすることも可能である。この場合に、輪郭線は、各部分画像ＢＧの外形を示す輪郭線のみではなく、各部分画像ＢＧの内部における輪郭線も対象とすればよい。各部分画像ＢＧについて、そのような輪郭線による線図の図形を作成しておけばよい。
【００３８】
発光ダイオードＤＥは、１つの発光ダイオードでフルカラーを表示可能なものを用いることが可能である。また、赤（Ｒ）、緑（Ｇ）、青（Ｂ）の３原色をそれぞれ発光する発光ダイオードＤＥを用い、３つの発光ダイオードＤＥで１つの画素を構成するように配置することも可能である。
【００３９】
これらの各発光ダイオード群ＨＤ１〜４に含まれるそれぞれの発光ダイオードＤＥは、発光制御部１１によって制御され、種々のカラーおよび強度で発光する。
【００４０】
図５〜図７には、表示パネルＫＴ１の発光ダイオード群ＨＤ１〜４を制御して表示される表示画像の例が示されている。
【００４１】
図５に示す表示画像ＨＧ１は、発光ダイオード群ＨＤ１および発光ダイオード群ＨＤ４を発光させたものである。つまり、表示画像ＨＧ１では、赤色のバラの花と緑色の葉が画像として表示されている。
【００４２】
図６に示す表示画像ＨＧ２は、発光ダイオード群ＨＤ２および発光ダイオード群ＨＤ４を発光させたものである。つまり、表示画像ＨＧ２では、黄色のバラの花と緑色の葉が画像として表示されている。
【００４３】
図７に示す表示画像ＨＧ３は、発光ダイオード群ＨＤ３および発光ダイオード群ＨＤ４を発光させたものである。つまり、表示画像ＨＧ２では、青色のバラの花と緑色の葉が画像として表示されている。
【００４４】
このように、表示パネルＫＴ１によって、それぞれの色のバラの花と緑色の葉とを、それぞれに専用に設けられた発光ダイオード群ＨＤ１〜４によって、複数種類の鮮明な表示画像ＨＧ１〜３を表示することができる。  
【００４５】
表示パネルＫＴ１によると、各表示画像ＨＧ１〜３において、発光ダイオードＤＥによって高い輝度を得ることができるので、これを見る者に強いインパクトを与えることができ、周辺環境の中でも目立って注意を惹くことができる。
【００４６】
なお、例で示した表示パネルＫＴ１には、バラの花と葉の画像を表示するようにしたが、広告のための文字または画像を適宜表示するようにすればよい。
【００４７】
例えば、図８に示す表示パネルＫＴ２では、写真画像ＳＧ１に含まれる部分画像ＢＧ１〜４のための部分画像発光部ＧＨ１〜４とは別に、広告文字ＭＪのための文字発光部ＭＡが設けられている。
【００４８】
図８においては、表示画像ＨＧ４として、部分画像発光部ＧＨ１〜４および文字発光部ＭＡが点灯し、部分画像ＢＧ１〜４および広告文字ＭＪが表示された状態を示す。この他、例えば、広告文字ＭＪおよび部分画像発光部ＧＨ４を表示した状態で、部分画像発光部ＧＨ１〜３を順次切り換えて点灯してもよい。広告文字ＭＪを点滅させ、または発光色を変えて点灯させてもよい。
【００４９】
上の実施形態の表示パネルＫＴ１では、部分画像発光部ＧＨ１〜４および文字発光部ＭＡにのみ発光ダイオード群ＨＤを設けるので、使用する発光ダイオードＤＥの個数の増加を抑制することができ、製作コストを低減することができる。
【００５０】
また、表示パネルＫＴとして、液晶ディスプレイまたはプラズマディスプレイを用い、その表示面に上に述べた表示画像ＨＧ１〜４を表示するようにしてもよい。これらのディスプレイは、マトリックス状に配置された画素（発光画素）によって種々の画像を表示可能であるので、そのうちの部分画像ＢＧおよび広告文字ＭＪに該当する領域に対応する画素を利用して、表示画像ＨＧ１〜４を表示することとなる。
【００５１】
つまり、このように、複数の部分画像発光部ＧＨおよび文字発光部ＭＡとして、それぞれの部分画像ＢＧおよび広告文字ＭＪの占める領域において発光可能なようにマトリックス状に配置された複数の発光画素を含む発光表示パネルを用いることが可能である。
【００５２】
また、写真画像ＳＧが表示された透過光用の画像シートを、表示パネルＫＴの前面において、当該写真画像ＳＧの複数の部分画像ＢＧと複数の部分画像発光部ＧＨとが一致するように配置し、表示パネルＫＴによって画像シートの写真画像ＳＧを背面から照明するように構成してもよい。                                                                  
【００５３】
例えば、図９に示す表示パネルＫＴ３では、表示パネルＫＴ２の前面に画像シートＳＴが配置されている。これらは、写真画像ＳＧ２の複数の部分画像ＢＧ１１，ＢＧ１２…と複数の部分画像発光部ＧＨ１１，ＧＨ１２…とが、正面視において一致するように配置されている。
【００５４】
複数の部分画像ＢＧ１１，ＢＧ１２…は、発光制御部１１により制御され、種々のカラーおよび強度で発光しまたは発光停止する。
【００５５】
図９に示す表示パネルＫＴ３によると、写真画像ＳＧ２を、その画像と同じように表示された表示パネルＫＴ２によって背面から照明する。これによって、写真画像ＳＧ２が極めて鮮明にかつ高いコントラストで表示され、見る者に強いインパクトを与えて注意を惹くことができる。
【００５６】
なお、発光制御部１１は、複数の部分画像発光部ＧＨ１１，ＧＨ１２…を、部分画像発光部ごとに切り替えて点灯させるように制御してもよい。
【００５７】
上に述べた実施形態において、部分画像ＢＧの領域と広告文字ＭＪの領域とが重なってもよい。その場合には、広告文字ＭＪの領域の表示を優先させるように、文字発光部ＭＡを配置しかつ発光させるようにすればよい。
【００５８】
また、写真画像ＳＧの中に広告のための画像を設けておき、それを部分画像ＢＧとしてもよい。つまり、写真画像ＳＧとして、必要な画像と広告のための画像とを合成したものを作成し、そのような写真画像ＳＧについて、これに含まれる複数の部分画像ＢＧについてそれぞれ部分画像発光部とする。このようにすると、文字発光部ＭＡおよび発光制御部１１Ｍを別途設ける必要がない。
【００５９】
また、複数の広告文字ＭＪを設けており、それぞれの文字発光部ＭＡを発光させる祭に、それぞれと同時に発光する部分画像発光部Ｇを互いに異ならせるようにしてもよく、または同じ部分画像発光部Ｇの発光色を変えるようにしてもよい。
【００６０】
上に述べた実施形態において、表示パネルＫＴ、発光制御部１１、または広告表示装置１の各部または全体の構成、構造、形状、個数、配置、回路などは、本発明の主旨に沿って適宜変更することができる。
【符号の説明】
【００６１】
１  広告表示装置
１１  発光制御部
ＮＤ  濃淡画像データ
ＳＤ  写真画像データ
ＭＤ  文字データ
ＢＧ  部分画像
ＧＡ〜ＧＥ  部分画像発光部
ＧＨ１〜４  部分画像発光部
ＧＨ１１〜１３  部分画像発光部
ＭＡ  文字発光部
ＨＤＡ〜ＨＤＥ  発光ダイオード群
ＤＥ  発光ダイオード
ＫＴ１〜３  表示パネル
【図１】
2015094850.tif 000003
【図２】
2015094850.tif 000004
【図３】
2015094850.tif 000005
【図４】
2015094850.tif 000006
【図５】
2015094850.tif 000007
【図６】
2015094850.tif 000008
【図７】
2015094850.tif 000009
【図８】
2015094850.tif 000010
【図９】
2015094850.tif 000011